(57)【要約】【課題】汚染域の洗浄効果が優れた土壌浄化方法を提供する。【解決手段】土壌中に注水トレンチと揚水トレンチを設け、脈動を与えながら洗浄水を注水トレンチの壁面から土壌中に放水して、注水トレンチと揚水トレンチの間の汚染域に洗浄水を流し、汚染域を経由した洗浄水を揚水トレンチから汲み上げて洗浄水中の汚染物質を除去することを特徴とする土壌浄化方法であり、注水トレンチの壁面から洗浄水が放水されるので汚染域に対して洗浄水を均一に流すことができ、洗浄水に脈動を与えて放水するので汚染域の洗浄効果が優れると共に放水面が広いので脈動を与える効果が大きい。【選択図】　　図１
2004082056.tif 000002
【特許請求の範囲】
【請求項１】
土壌中に注水トレンチと揚水トレンチを設け、脈動を与えながら洗浄水を注水トレンチの壁面から土壌中に放水して、注水トレンチと揚水トレンチの間の汚染域に洗浄水を流し、汚染域を経由した洗浄水を揚水トレンチから汲み上げて洗浄水中の汚染物質を除去することを特徴とする土壌浄化方法。
【請求項２】
汚染域を囲む遮水壁を設け、遮水壁で囲まれた領域の上流側に注水トレンチを設けると共に下流側に揚水トレンチを設け、各トレンチは地下の難透水層に達する深さに掘削し、各トレンチの外周壁を遮水壁によって形成する一方、トレンチ内壁の上側部分を遮水壁とし、また下側部分を透水性壁面によって形成し、脈動を与えられて注水トレンチの下部透水性内壁面から放水され、汚染域を流れた洗浄水を揚水トレンチから揚水して浄化処理する請求項１に記載する土壌浄化方法。
【請求項３】
注水トレンチの透水性内壁面底部から上部遮水壁の任意の高さまで透水材料を充填すると共にその上側に還元材料を含む砂材を充填して注水トレンチに上部還元水生成層と下部透水層とを形成し、上部還元水生成層に供給された洗浄水が還元性を有して下部透水層に流下し、還元性の洗浄水が土壌中に放水される請求項１または２に記載する土壌浄化方法。
【請求項４】
注水トレンチと揚水トレンチの間に水位測定孔を設け、測定した水位に基づいて注水量ないし揚水量を制御する請求項１、２または３に記載する土壌浄化方法。
【請求項５】
注水トレンチの下側に、上向きに加圧水を放水する管路を横設し、汚染物質の下方への拡散を抑止する請求項１〜４の何れかに記載する土壌浄化方法。
【請求項６】
注水トレンチの側方に、注水トレンチと異なる向きに第２注水トレンチを設け、両トレンチから放水される洗浄水の脈動を干渉させて脈動を増幅させることによって洗浄効果を高める請求項１〜５の何れかに記載する土壌浄化方法。
【発明の詳細な説明】
【０００１】
【発明の属する技術分野】
本発明はトレンチ工法による土壌浄化方法に関する。より詳しくは、浄化処理する土壌にトレンチを施工し、このトレンチの壁面を通じて脈動を与えながら洗浄水を土壌中に流すことによって汚染域を効果的にかつ未処理部分を残すことなく洗浄する土壌浄化方法に関する。
【０００２】
【従来の技術】
汚染土壌の浄化方法として従来から各種の処理方法が知られている。例えば、（イ）汚染土壌中に設けた削孔を通じて洗浄水を土中に噴射し、この噴射圧によって掘削した汚染土壌を水の還流によって地上に排出し、浄化処理する方法（特開２００１−１６２２６２）、（ロ）汚染域を囲むように複数の注水井と揚水井とを設け、注水井を通じて洗浄水を汚染土壌中に注水し、汚染域を経由した洗浄水を揚水井によって地上に汲み上げて浄化処理し、これを再び注水井を通じて土中に戻す浄化方法（特開平１０−２７７５３１号）、（ハ）揚水井戸を通じて汲上げた地下水を加熱し、注水井戸を通じて加熱地下水を汚染域に送り込み、土壌中の有害物質の気化を促進させる浄化方法（特開平９−１７４０３４号）、（ニ）汚染域の下流側に設けた揚水井戸を通じて汚染地下水を汲み上げ、地上で浄化処理した水を上流側の注水井戸を通じて土中に戻し、この浄化水が汚染域を流れることよって汚染域を洗浄し、再び揚水して浄化処理するサイクルを繰り返す浄化方法（特開平８−３２３３３８号）などが知られている。
【０００３】
さらに、（ホ）汚染域に複数本の散水井戸を掘削し、この井戸にウオータジェット装置を挿入し、乳化材を含む清浄水を散水井戸から土壌中に噴射して汚染土を粉砕しながら散水して土壌を浄化する方法（特許第２７５５０８３号）が知られており、また（ヘ）地下水面より深く止水壁を設け、止水壁で囲まれた領域に注水孔と揚水孔を掘削し、注水孔から水を導入して地下水位を上昇させて汚染域を洗浄すると共に注水孔から揚水孔に向かう地下水流を発生させ、汚染物質を含む地下水を揚水孔から汲み上げて汚染物質を除去した後に注水孔を通じて再び地下水を土中に戻す浄化方法（特許第３１９１１３２号）が知られている。
【０００４】
しかし、汚染域を水洗処理する従来の上記土壌浄化方法は、何れも汚染域に多数の注水井ないし揚水井を設け、これらの井戸を通じて浄化水を注揚水する処理方法であるため、汚染域全体に洗浄水が流れるようにするためには多数の注水井や揚水井を必要とする。しかも、汚染域に対して注水場所が点状であるため、井戸を多数設けても井戸から流出される洗浄水が汚染域に均一に拡散するのが難しく、汚染域を通過する洗浄水ないし地下水の流束密度が一定とならず、洗浄終了までに要する時間が、最低流束密度の汚染域に時間に律速されると云う問題がある。
【０００５】
さらに、上記（ホ）のように地表面から洗浄水を土中に浸透させる方法では、汚染部位にまで水が拡散して浸透する時間が処理時間の律速となり、処理効率を高めるために揚水井戸からの汲み上げ水量を多くすると、地下水位が揚水井に向かって勾配を有するようになるため、洗浄水の流束が揚水井に向かって偏り、揚水井から離れた地点では未洗浄部分が残るという問題を生じる。また、上記（ヘ）の方法では、洗浄水の流束は個々の注水井から個々の揚水井に向かって流れるが、その向きと流速は井戸の位置関係によって定まるので均一ではなく、そのため洗浄部位と洗浄速度が流束密度の低い部分の洗浄速度によって律速されるという問題がある。
【０００６】
【発明が解決しようとする課題】
本発明は土壌の汚染域に洗浄水を流して浄化する処理方法において、従来方法の上記問題を解決したものであり、浄化処理する土壌にトレンチを施工し、このトレンチの壁面を通じて脈動を与えながら洗浄水を土壌中に流すことによって汚染域を効果的にかつ未処理部分を残すことなく洗浄する土壌浄化方法を提供するものである。
【０００７】
【課題を解決する手段】
すなわち、本発明は、（１）土壌中に注水トレンチと揚水トレンチを設け、脈動を与えながら洗浄水を注水トレンチの壁面から土壌中に放水して、注水トレンチと揚水トレンチの間の汚染域に洗浄水を流し、汚染域を経由した洗浄水を揚水トレンチから汲み上げて洗浄水中の汚染物質を除去することを特徴とする土壌浄化方法に関する。
【０００８】
本発明の土壌浄化方法は、具体的には、例えば（２）汚染域を囲む遮水壁を設け、遮水壁で囲まれた領域の上流側に注水トレンチを設けると共に下流側に揚水トレンチを設け、各トレンチは地下の難透水層に達する深さに掘削し、各トレンチの外周壁を遮水壁によって形成する一方、トレンチ内壁の上側部分を遮水壁とし、また下側部分を透水性壁面によって形成し、脈動を与えられて注水トレンチの下部透水性内壁面から放水され、汚染域を流れた洗浄水を揚水トレンチから揚水して浄化処理する土壌浄化方法である。
【０００９】
本発明の土壌浄化方法は、（３）注水トレンチの透水性内壁面底部から上部遮水壁の任意の高さまで透水材料を充填すると共にその上側に還元材料を含む砂材を充填して注水トレンチに上部還元水生成層と下部透水層とを形成し、上部還元水生成層に供給された洗浄水が還元性を有して下部透水層に流下し、還元性の洗浄水が土壌中に放水される土壌浄化方法、（４）注水トレンチと揚水トレンチの間に水位測定孔を設け、測定した水位に基づいて注水量ないし揚水量を制御する土壌浄化方法、（５）注水トレンチの下側に、上向きに加圧水を放水する管路を横設し、汚染物質の下方への拡散を抑止する土壌浄化方法、（６）注水トレンチの側方に、注水トレンチと異なる向きに第２注水トレンチを設け、両トレンチから放水される洗浄水の脈動を干渉させて脈動を増幅させることによって洗浄効果を高める土壌浄化方法を含む。
【００１０】
本発明の土壌浄化方法は、注水トレンチの壁面から洗浄水が放水されるので、従来の注水井戸用いた場合と異なり、放水面が広く、汚染域に対して洗浄水を均一に流すことができる。さらに、単なる加圧放水とは異なり、洗浄水に脈動を与えて放水するので、汚染域の洗浄効果が優れる。また、放水面が広いので脈動を与える効果が大きい。さらに、注水トレンチの上部に還元水生成層を形成し、還元性の洗浄水を下部透水層から土壌中に放水することによって、土壌中の汚染物質である六価クロムなどが還元されて無害化される。この他に、水位測定孔を設け、測定水位に基づいて注水量ないし揚水量を制御することによって土壌中の汚染域を流れる洗浄水の水位を適正に保ち、洗浄効果を高めることができる。また、注水トレンチの下側に、上向きに加圧水を放水する管路を水平方向に設けることによって、汚染物質の下方への拡散を抑止し、注水トレンチの側方に、注水トレンチと異なる向きに第２注水トレンチを設け、両トレンチから放水される洗浄水の脈動を干渉させて脈動を増幅させることによって洗浄効果を高めることができる。
【００１１】
【発明の実施の形態】
以下、本発明の土壌浄化方法について図面を参照して具体的に説明する。図１は注水トレンチおよび揚水トレンチなどの配置を示す模式平面図、図２にはその模式縦断面図、図３は注水トレンチの下側に加圧水供給管路を設けた配置を示す模式縦断面図、図４は注水トレンチに対して第２注水トレンチを設けた構成例を示す模式平面図である。
【００１２】
図示する本発明の土壌浄化システムは、汚染域Ａを囲むように遮水壁１０を設け、遮水壁１０で囲まれた領域の上流側に注水トレンチ１１を設けると共に下流側に揚水トレンチ１２が設けられている。注水トレンチ１１と揚水トレンチ１２は両側の遮水壁１０に沿って細長く形成されており、汚染域Ａをはさんで相対向して設置されている。各トレンチ１１、１２は地下の難透水層２０に達する深さに掘削されており、トレンチ１１、１２の外周は遮水壁１０によって囲まれている。また、各トレンチ１１、１２の内壁の上側部分は遮水壁１０によって形成されており、その下側部分は透水性壁面によって形成されている。
【００１３】
具体的には、例えば、注水トレンチ１１の内壁の上側部分は遮水性のコンクリート壁などによって形成されており、注水トレンチ１１の下側部分には砕石や砂利などの透水材料が充填され、この透水材料が内壁下部の壁面を形成している。さらに、好ましくは、注水トレンチ１１の底部から上部遮水壁の任意の高さまで透水材料を充填して下部透水層１３が形成され、さらにその上側に還元材料を含む砂材を充填して上部還元水生成層１４が形成されている。なお、施工場所を遮水壁１０によって囲めば洗浄水が施工域外に拡散するのを防止できるので、汚染域の洗浄効果が向上するが、施工場所の条件によっては遮水壁１０を一部だけに設けても良く、あるいは設けなくても良い。
【００１４】
一方、揚水トレンチ１２の上側部分は遮水性のコンクリート壁などによって形成されており、内壁下部は多数の通孔を有する透水性のコンクリート壁によって形成されている。また、揚水トレンチ１２の底部には揚水ポンプ１５が設置されている。
【００１５】
注水トレンチ１１および揚水トレンチ１２は鋼矢板で挟んだ構造もしくは鋼管杭を連結した構造でも良い。トレンチ部分の洗浄水が容易に移動できる構造であって、外周部分が遮水性壁面によって形成されており、所定の深度に通水用の孔ないしストレーナーを施工できる構造であれば良い。この外周遮水壁によって洗浄を行う汚染域の地下水とその周囲の地下水との混合を抑止する。難透水層（粘土層等）まで、あるいは洗浄対象深度より十分深い深度まで外周遮水壁を打ち込むのが好ましい。また、内壁上部の遮水壁は洗浄を行う深度より上側への漏水を防止し、かつ洗浄水の注水側水頭圧を維持するために、地上部から土中の洗浄域に入り込む程度の深度まで打ち込むのが好ましい。この、内壁上部の遮水壁の高さを調整することによって、汚染域に対して集中的に洗浄水が流れるように制御することができる。
【００１６】
注水トレンチ１１には洗浄水の注水管路１６が接続しており、注水バルブ１７が装着されている。一方、揚水トレンチ１２には汲み上げた洗浄水を処理設備（図示せず）に導く揚水管路１８が接続している。注水トレンチ１１には水圧を変動して脈動を与えた洗浄水が管路１６を通じて導入される。洗浄水に与える脈動の水圧および周期は汚染域の状況によって設定される。一般的には、水圧は０．１〜０．８気圧、脈動周期は１回／日から数十回／日が適当である。このような脈動を３０〜３００日程度継続して注水することによって浄化効果を高めることができる。水圧が低いと洗浄水の注水量が低下して土壌の洗浄効率が著しく低下する。一方、水圧が高すぎると注水井の地面からの抜け上がりや地表面への浸水が場所によって生じる。また、脈動周期が１回／日より少なくと通常の地下水流による洗浄効果と変わらず、一方、周期が数十回／日より多くても注水量が増加する割には洗浄効果が上がらず、排水処理の負担のみが増すことになる。
なお、洗浄水の脈動が失われないように注水トレンチ１１には蓋を設けて密閉し、水面の上方に隙間が生じ無いように洗浄水を満たすのが好ましい。脈動を与えられた洗浄水は管路１６を通じて注水トレンチ１１に供給され、下部透水性内壁面から土中に放水され、注水トレンチ１１と揚水トレンチ１２の間に位置する汚染域を流れてポンプ１５によって揚水トレンチ１２から地上に揚水され、管路１８を通じて処理設備に送られ、洗浄水に含まれる汚染物質が処理設備で除去される。
【００１７】
下部透水層１３の上側に還元水生成層１４を形成した注水トレンチ１１においては、注水トレンチ１１に供給された洗浄水がこの層１４を通過することによって酸化還元電位の低い水に変えられる。この還元性を有する洗浄水が還元性を有して下部透水層に流下し、還元性の洗浄水が土壌中に放水される注水トレンチ１１の下部に浸透して透水層１３から土中に放水される。この還元性洗浄水によって、還元作用により安定化する物質、例えば六価クロムなどは３価クロムに変わり、安定化する。この３価クロムを含む洗浄水は揚水トレンチ１２を通じて地上の処理設備に導かれ、３価クロムが洗浄水から分離除去される。還元水生成層１４は砂や不織布等を充填した部分に還元剤（鉄粉、銅粉、黄鉄鉱粉等）を添加して形成することができる。鉄粉の添加量は５％程度で良い。
【００１８】
なお、従来、鉄粉や鉄化合物を硅砂等に混合した物、あるいはコロイド状還元材などを掘削土に加えて安定化する方法、これらの材料を土壌中に抗状に打設する方法、液体と一緒に土壌中に圧入する方法などが知られている。これらは鉄等の投入により、有機系化合物を還元分解し、また重金属系化合物を安定化することによって土壌を浄化する方法であるが、これらの方法において土壌への鉄の投入量は最低でも数％以上が必要であり、条件によっては、地下水中の鉄濃度が高くなって赤水等の問題を引き起こす原因となる。一般に鉄の使用量は水質基準では０．３ｍｇ／Ｌに定められており、過剰の鉄類の投入は好ましくない。
【００１９】
本発明の土壌浄化方法では、鉄粉や鉄化合物を直接に土中に投入するのではなく、注水トレンチ上部で洗浄水を鉄粉等の還元材に接触させて少量の鉄粉を洗浄水に溶解させ、この少量の鉄による還元力を利用する。因みに、カラム試験の結果では、洗浄水中の鉄濃度は０．３ｍｇ／Ｌ以下である。また、浄化処理した後は注水トレンチ上部の還元水生成層を容易に撤去できるので、地下水への過剰な鉄の流出はなく、施工後も長期的な環境保全を図ることができる。さらに、土壌中の六価クロムを還元して効果的に除去するため、注水量を低減することができる。具体的には、例えば約０．５ｍｇ／Ｌの六価クロム濃度の汚染域に還元水生成層（５％Ｆｅ粉＋硅砂混合層）を通過させた洗浄水を通水させることによって、六価クロム濃度を０．０２ｍｇ／Ｌまで低減させることができる。
【００２０】
図示する土壌浄化システムでは、注水トレンチ１１と揚水トレンチ１２の間に水位測定孔３１、３２が設けられている。なお、水位の勾配を測定できるように一方の水位測定孔３１は上流側の注水トレンチ１１の近傍に設けられており、他方の水位測定孔３２は下流側の揚水トレンチ１２の近傍に設けられている。この水位測定孔３１、３２および注水トレンチ１１と揚水トレンチ１２の内部に水位測定センターを設け、地下水位のモニタリングを行う。
【００２１】
さらに、水位測定センターと注水バルブ１７および揚水ポンプ１５を結ぶ水位制御ユニット３３が形成されている。この制御系３３は水位センサーの情報に基づいて注水バルブ１７および揚水ポンプ１５の運転を制御し、上流側と下流側の水位を目的の範囲に保ち、汚染域に洗浄水か適切に流れるように自動制御する。注水トレンチ１１の水位センサーや上流側水位測定孔の水位センサーの測定値が所定水位より低い場合には注水バルブ１７を開いて注水を行い、あるいは揚水ポンプ１５を停止する。一方、所定水位より高い場合には注水バルブ１７を閉じ、または揚水ポンプ１５を稼動させる。下流側の水位が所定範囲から外れる場合にも同様の操作によって水位が所定範囲内に保たれる。
【００２２】
図３は、注水トレンチ１１の下側に加圧水を放水する管路３４を横設し、汚染物質の下方への拡散を抑止した構成例である。管路３４は上向きに加圧水を放水するように水平方向に横設されており、上向きの放水孔が多数設けられている。この管路３４は水平方向に複数本並べて設置しても良い。図示する例では、管路３４は難透水層２０の下側の透水層に配設されており、難透水層２０を漏水してくる地下水が下方に拡散するのを抑止する。
【００２３】
図４は注水トレンチ１１の側方に、注水トレンチと異なる向きに第２注水トレンチ４０を設けた構成例である。第２注水トレンチ４０は外周の遮水壁１０に沿って設けられており、上記注水トレンチ１１と同様の構造を有している。この構造においては、両側のトレンチ１１、４０から放水される洗浄水の脈動が増幅するように脈動を干渉させることによって、全体の注水量を増加せずに洗浄効果を高めることができる。
【００２４】
【実施例】
〔実施例１〕
図１に示す土壌浄化システムにおいて、洗浄水に表１に示す圧力と周期の脈動を与えて土壌中の汚染域を洗浄した。この結果を表１に示した。また、洗浄水に脈動を与えずに洗浄した結果を比較例として示した。本実施例ではクロム濃度の低減率が、還元剤を用いないもの（Ｎｏ．１）は５０％、還元剤を用いたもの（Ｎｏ．２〜Ｎｏ．４）は８０％〜９０％であり、非常に高い。一方、洗浄水を脈動しない比較例のクロム濃度低減は１０％であり、本発明例に比べて著しく低い。
【００２５】
〔実施例２〕
図３に示す加圧放水管路３４を設けた土壌浄化システムにおいて、洗浄水に表１に示す圧力と周期の脈動を与えて土壌中の汚染域を洗浄した。この結果を表１に示した（Ｎｏ．−−−）。本実施例では汚染域の下側への拡散が防止されるのでクロム濃度の低減率が９３％に向上している。
【００２６】
【表１】
2004082056.tif 000003
【００２７】
〔実施例３〕
図４に示す第２注水トレンチを設けた土壌浄化システムにおいて、洗浄水に表２に示す圧力と周期の脈動を与えて土壌中の汚染域を洗浄した。この結果を表２に示した。なお、比較のため第２注水トレンチを設けない例を対比して示した。本実施例は第２注水トレンチを設けない例よりも注水量は少ないがクロム濃度低減率はほぼ同等であり、注水量を増加せずに洗浄効果を向上できることが確認された。
【００２８】
【表２】
2004082056.tif 000004
【００２９】
【発明の効果】
本発明の土壌浄化方法では、注水トレンチの壁面から洗浄水が放水されるので放水面が広く、汚染域に対して洗浄水を均一に流すことができる。さらに、洗浄水に脈動を与えて放水するので汚染域の洗浄効果が優れる。また、放水面が広いので脈動を与える効果が大きい。因みに、従来の処理方法における注水井戸では加圧水が放水されるが、これに脈動を与えても個々の通液孔から放水されるために脈動による効果が殆どない。注水井戸を多数設けても同様である。一方、本発明では洗浄水を壁面から放水するので洗浄水の脈動による効果が大きく、汚染域の洗浄効果を高めることができる。土壌粒子表面に付着している汚染物は洗浄水に接触して洗い流されるが、土壌を構成している粘土鉱物の内側に存在している汚染物は洗浄水の流速を高めるだけでは十分に除去することができない。洗浄水を加圧脈動して粘土鉱物の内側と外側の圧力差を大きくすることによって内側の汚染物が外側に引き出され、洗浄効果が大幅に向上する。
【００３０】
さらに、注水トレンチの上部に還元水生成層を形成し、還元性の洗浄水を下部透水層から土壌中に放水することによって、土壌中の汚染物質である六価クロムなどが還元されて安定化される。また、水位測定孔を設け、測定水位に基づいて注水量ないし揚水量を制御することによって土壌中の汚染域を流れる洗浄水の水位を適正に保ち、洗浄効果が向上する。さらに、注水トレンチの下側に、上向きに加圧水を放水する管路を水平方向に設けることによって、汚染物質の下方への拡散が抑止され、施工域について信頼性の高い浄化効果が達成される。また、注水トレンチの側方に注水トレンチと異なる向きに第２注水トレンチを設け、両トレンチから放水される洗浄水の脈動を干渉させて脈動を増幅させれば、全体の注水量を増加せずに洗浄効果が向上する。
【図面の簡単な説明】
【図１】注水トレンチおよび揚水トレンチなどの配置を示す模式平面図
【図２】図１に示す浄化構造の模式縦断面図
【図３】注水トレンチ下側に加圧水供給管路を設けた配置を示す模式縦断面図
【図４】注水トレンチに対して第２注水トレンチを設けた構成例を示す模式平面図。
【符号の説明】１０−遮水壁、１１−注水トレンチ、１２−揚水トレンチ、１３−透水層、１４−還元水生成層、１５−揚水ポンプ、１６−注水管路、１７−注水バルブ、１８−揚水管路、２０−難透水層、３１、３２−水位測定孔、
３３−水位コントロールユニット、３４−加圧水放水管路、４０−第２注水トレンチ。
【図１】
2004082056.tif 000005
【図２】
2004082056.tif 000006
【図３】
2004082056.tif 000007
【図４】
2004082056.tif 000008